(57)【要約】【課題】  電池交換に便利で、ブラインド全体の長さを改変可能であり、また、モータ負荷を低減した電動ブラインドの提供。【解決手段】  伝動アセンブリのモータと伝動軸をフレキシブル連接部品により連接し、モータが伝動軸を駆動して運転させる時に、有効にその動力負荷を軽減し、該電動ブラインドの使用寿命を延長し、電動リモートコントローラーは着脱自在の電池シートを具え、該電池シートを取り外した後に電池交換が行え、別に可動ブロックセットが上レールの開口、下レールの開口、及び電動リモートコントローラーのケースの開口に設けられ、該可動ブロックセットが固定部品により着脱されて長さを改変可能な内側セットブロック、外側セットブロック及び連接セットブロックを包含し、ゆえに、取り付け時に電動ブラインドの全体幅を窓の幅に合わせることができる。【選択図】        図２
0003114704.tif 000002
【実用新案登録請求の範囲】
【請求項１】
電動ブラインドにおいて、
上レール（１０）であって、二端にそれぞれ開口（１１）が形成された中空長形レールシートである、上記上レール（１０）と、
下レール（２０）であって、上レール（１０）の下方に離間設置された長形レールシートである、上記下レール（２０）と、
ブレードロープセット（３０）であって、上レール（１０）及び下レール（２０）の間に設置され、それぞれ上レール（１０）及び下レール（２０）に接続されたブレード（３１）、一端が下レール（２０）に接続され別端が上レール（１０）内部に延伸された第１ロープ（３２）、ブレード（３１）を直列に接続し且つ一端が上レール（１０）内部に延伸された第２ロープ（３３）を包含する、上記ブレードロープセット（３０）と、
伝動アセンブリ（４０）であって、上レール（１０）内部に設置され、モータ（４１）、伝動軸（４２）、中空軟管を呈するフレキシブル連接部品（４３）及び枢設座（４４）を包含し、該モータ（４１）が回転動力端（４１１）を具え、該伝動軸（４２）が枢設座（４４）を介して上レール（１０）内部に枢設され、その一端がフレキシブル連接部品（４３）によりモータ（４１）の回転動力端（４１１）と接続され、該伝動軸（４２）が上レール（１０）内部に延伸された第１ロープ（３２）に接続され、フレキシブル連接部品（４３）は二端に第１固定部品（４５）と第２固定部品（４６）が嵌合され、該第１固定部品（４５）のモータ（４１）に向いた一側に回転動力端（４１１）を固定するための位置決め孔（４５１）が設けられ、第２固定部品（４６）の伝動軸（４２）に向いた一側に該伝動軸（４２）の一端を固定するための位置決め孔（４６１）が設けられた、上記伝動アセンブリ（４０）と、
電動リモートコントローラー（５０）であって、上レール（１０）の一端の開口（１１）に設置され、ケース（５１）、電池シート（５２）、モータ（５３）及び電子制御アセンブリを包含し、該ケース（５１）にケース（５１）と分離し並びに電源線（５１８）で電子制御アセンブリと接続された信号受信器（５１７）及び取り付け孔（５１３）が設けられ、取り付け孔（５１３）の内側に導電部品（５１６）が設けられ、ケース（５１）の上レール（１０）に向いた一側に、第２ロープ（３３）の一端が挿通する貫通孔（５１４）が設けられ、別端に開口（５１５）が形成され、ケース（５１）の内部の、モータ（５３）の捲線輪（５３２）に対応する位置にあって、その前端に第２ロープ（３３）が上から圧接される回転軸（５４）が設けられ、該モータ（５３）がケース（５１）内部に取り付けられ且つ導電部品（５１６）と電気的接続を形成し、モータ（５３）が回転動力端（５３１）を具え、回転動力端（５３１）に第２ロープ（３３）と接続された捲線輪（５３２）が設置され、該電池シート（５２）は着脱自在にケース（５１）の取り付け孔（５１３）に取り付けられ、電池シート（５２）に導電部品（５１６）と接触する電池（５２１）が設けられ、該電子制御アセンブリがケース（５１）内部に設置され並びに信号受信器（５１７）、電動リモートコントローラー（５０）のモータ（５３）及び伝動アセンブリ（４０）のモータ（４１）と接続される、上記電動リモートコントローラー（５０）と、  複数の可動ブロックセット（６０）であって、上レール（１０）の開口（１１）、下レール（２０）の開口（２１）及び電動リモートコントローラー（５０）のケース（５１）の開口（５１５）に設置され、該可動ブロックセット（６０）は内側セットブロック（６１）、外側セットブロック（６３）、及び一つ或いはそれ以上の、内、外側セットブロック（６１）、（６３）の間に取り付けられた連接セットブロック（６２）を包含し、該内側セットブロック（６１）、連接セットブロック（６２）及び外側セットブロック（６３）相互の間が固定部品（６４）で固定され、且つ内側セットブロック（６１）の一側に上レール（１０）の開口（１１）、下レール（２０）の開口（２１）及び電動リモートコントローラー（５０）のケース（５１）の開口（５１５）と相互に組み合わされる取り付け部（６１１）が設けられた、上記複数の可動ブロックセット（６０）と、
を包含したことを特徴とする、電動ブラインド。
【請求項２】
請求項１記載の電動ブラインドにおいて、可動ブロックセット（６０）の内側セットブロック（６１）にネジ孔（６１２）が設けられ、連接セットブロック（６２）に内側セットブロック（６１）のネジ孔（６１２）に対応する穿孔（６２１）が設けられ、外側セットブロック（６３）に内側セットブロック（６１）のネジ孔（６１２）に対応する貫通孔（６３１）が設けられ、固定部品（６４）の一端にネジ部（６４１）が形成され、もう一端に頭部（６４２）が形成され、固定部品（６４）のネジ部（６４１）を具えた一端が外側セットブロック（６３）の貫通孔（６３１）、連接セットブロック（６２）の穿孔（６２１）に挿通されて内側セットブロック（６１）のネジ孔（６１２）と螺合され、可動ブロックセット（６０）の各連接セットブロック（６２）の内側セットブロック（６１）に向いた一側に係止凸縁（６２２）が形成され、別側に該係止凸縁（６２２）に対応する位置決め凹溝（６２３）が形成され、該内側セットブロック（６１）の取り付け部（６１１）に対向する別側に、隣接する連接セットブロック（６２）の係止凸縁（６２２）が嵌入される位置決め凹溝（６１３）が形成され、外側セットブロック（６３）の連接セットブロック（６２）に対向する一側に隣接する連接セットブロック（６２）の位置決め凹溝（６１３）中に嵌入する係止凸縁（６３２）が形成されたことを特徴とする、電動ブラインド。
【請求項３】
請求項１記載の電動ブラインドにおいて、電動リモートコントローラー（５０）のケース（５１）の取り付け孔（５１３）の一側の内側に位置決め溝（５１３ａ）が形成され、対向側の内側に凹部（５１３ｂ）が形成され、電池シート（５２）にあって、ケース（５１）の位置決め溝（５１３ａ）に対向する一側に凸部（５２１）が形成され、別側にフック（５２２）が形成され、並びにケース（５１）内部にフック（５２２）と係合する係止部が形成されたことを特徴とする、電動ブラインド。
【考案の詳細な説明】
【技術分野】
【０００１】
本考案は一種の電動ブラインドに係り、特に電動リモートコントロール方式でそのブレードの作動を制御し、且つ電池交換に便利で、ブラインド全体の長さを改変可能であり、また、モータ負荷を低減した電動ブラインドの設計に関する。
【背景技術】
【０００２】
図１に示されるように、現在市場で一般的に見られる電動ブラインド８０は、一組の、上、下に離間配置されて相互に対向する上レール８１と下レール８２を具え、該上レール８１と下レール８２の間に折り畳んで収合されるブレード８３及び若干の該ブレード８３を接続するロープが設けられ、また、上レール８１内部に電動伝動器具８４が設けられ、該電動伝動器８４は、電子制御アセンブリ（図示せず）、モー８４１及び伝動ロッド８４２を包含し、該伝動ロッド８４２はロープに接続され並びにモータ８４１によりその作動が制御される。別に上レール８１に電池８５が取り付けられる電池室８１１と、電池室８１１に着脱自在な電池カバー８１２が設けられ、電力を前述の電動伝動器８４に提供する。
【０００３】
これにより、使用者が電動伝動器８４を制御する時、該電動伝動器８４の電子制御アセンブリがモータ８４１の作動を制御し、伝動ロッド８４２の回転を駆動し、各ロープによりブレード８３の上昇収合或いは下降展開の動作を制御し、光線のブロックと装飾等の用途に供される。
【０００４】
前述の電動ブラインド８０は使用時に以下のような多くの問題を有している。
１．電池交換が容易でない：  使用者が電池８５を交換する時、電池カバー８１２を取り外し、電池８５を交換し、電池カバー８１２を取り付けるステップが必要であるが、電動ブラインドの電池室８１１は上レール８１に設けられ、一般にブラインドが窓に取り付けられる時、該電池室８１１の地面から一定の高さを有し、ゆえに使用者は通常手を高く挙げて前述の電池交換のステップを行わねばならず、電池８５交換の作業に不利である。更に、使用者の身長が不足する時は、椅子等の器具を台として使用しなければ電池交換の動作が行えず、使用者が電池８５を交換する時に多くの不便が形成される。
２．窓の幅にブラインドの全体幅を合わせることができない：  現在市販されている電動ブラインド８０は、購入後に自分で組み立てる方式のものが大きな比率を占めており、一般消費者は電動ブラインド８０を購入した後に、自分でそれを窓に取り付ける。ただし市販されているこのような電動ブラインド８０は、規定サイズ規格のものしか提供されておらず、ゆえに消費者は先に窓の実際の幅を測ってから特定規格の電動ブラインド８０を選択購入するか、または窓の実際の幅と僅かに異なる時、例えば、電動ブラインド８０の上レール８１、下レール８２とブレード８３の幅が窓の幅よりやや大きい時、消費者は取り付けの過程で、ブレード８３の幅をカットし、自分の家の窓の幅に合わせなければならない。しかし、ブレード８３はカット方式で窓幅に合わせることができても、上レール８１と下レール８２は一般消費者が直接カットしてその長さを改変することはできず、業者にカットを依頼しなければならない。ゆえに自分で電動ブラインドを取り付ける過程において、多くの不便が形成され、更に上レール８１と下レール８２はカット後に、ブラインド全体構造の外観が破壊されやすく、このため居住空間の美観性に影響を与える。
３．使用寿命が短い：  電動伝動器８４の伝動ロッド８４２は長時間使用後に、湾曲変形現象を発生しやすく、伝動ロッド８４２の軸心がモータ８４１の作動端の軸心にアラインしなくなり、この伝動ロッド８４２は直接モータ８４１の作動端に固着されているため、モータ８４１が伝動ロッド８４２を駆動し回転させる時、モータ８４１と伝動ロッド８４２の両者の軸心がアライン不能で、モータ８４１の動力負荷が高くなり、このためモータ８４１が長時間使用後に損壊しやすくなり、電動ブラインド８０の使用寿命が短くなる。
【考案の開示】
【考案が解決しようとする課題】
【０００５】
以上の従来の電動ブラインドの欠点を鑑み、本考案はそれを改良した一種の電動ブラインドを提供することを目的とし、それは、上レール、下レール、ブレードロープセット、伝動アセンブリ、電動リモートコントローラー及び複数の可動ブロックセットを包含し、使用者が自分で該電動ブラインドを取り付ける時、窓の幅に電動ブラインドの幅を合わせることができるものとする。
【０００６】
上述の目的を達成するため、本考案は一種の電動ブラインドを提供し、それは、上レール、下レール、ブレードロープセット、伝動アセンブリ、電動リモートコントローラー及び複数の可動ブロックセットを包含し、そのうち、ブレードロープセットは、上下に対向するよう離間配置された上レールと下レールの間に設置され、該伝動アセンブリは上レール内部に設置されたモータ、伝動軸及びフレキシブル連接部品を包含し、モータと伝動軸はフレキシブル連接部品により接続され、該電動リモートコントローラーは上レールの一側の開口に設置され、ケース、電池シート、モータ及び電子制御アセンブリを包含し、該ケースに信号受信器が設けられ、且つ電池シートはケース上で着脱可能で、モータ及び電子制御アセンブリはケース内部に取り付けられ、信号受信器が外来信号を受信し、該電子制御アセンブリの制御により前述の各モータの作動タイミングが制御されて、ブレードロープセットの動作が制御され、また各可動ブロックセットが上レール開口、下レール開口、及び電動リモートコントローラーのケースの開口に設置され、該可動ブロックセットは固定部品により着脱されて長さを改変可能な内側セットブロック、外側セットブロック及び連接セットブロックを包含する。
【０００７】
本考案は従来の電動ブラインドの欠点を鑑み、伝動アセンブリのモータと伝動軸をフレキシブル連接部品により連接し、モータが伝動軸を駆動して運転させる時に、有効にその動力負荷を軽減し、該電動ブラインドの使用寿命を延長し、電動リモートコントローラーは着脱自在の電池シートを具え、該電池シートを取り外した後に電池交換が行え、別に可動ブロックセットが上レールの開口、下レールの開口、及び電動リモートコントローラーのケースの開口に設けられ、該可動ブロックセットが固定部品により着脱されて長さを改変可能な内側セットブロック、外側セットブロック及び連接セットブロックを包含し、ゆえに、取り付け時に電動ブラインドの全体幅を窓の幅に合わせることができる。
【課題を解決するための手段】
【０００８】
請求項１の考案は、電動ブラインドにおいて、
上レール（１０）であって、二端にそれぞれ開口（１１）が形成された中空長形レールシートである、上記上レール（１０）と、
下レール（２０）であって、上レール（１０）の下方に離間設置された長形レールシートである、上記下レール（２０）と、
ブレードロープセット（３０）であって、上レール（１０）及び下レール（２０）の間に設置され、それぞれ上レール（１０）及び下レール（２０）に接続されたブレード（３１）、一端が下レール（２０）に接続され別端が上レール（１０）内部に延伸された第１ロープ（３２）、ブレード（３１）を直列に接続し且つ一端が上レール（１０）内部に延伸された第２ロープ（３３）を包含する、上記ブレードロープセット（３０）と、
伝動アセンブリ（４０）であって、上レール（１０）内部に設置され、モータ（４１）、伝動軸（４２）、中空軟管を呈するフレキシブル連接部品（４３）及び枢設座（４４）を包含し、該モータ（４１）が回転動力端（４１１）を具え、該伝動軸（４２）が枢設座（４４）を介して上レール（１０）内部に枢設され、その一端がフレキシブル連接部品（４３）によりモータ（４１）の回転動力端（４１１）と接続され、該伝動軸（４２）が上レール（１０）内部に延伸された第１ロープ（３２）に接続され、フレキシブル連接部品（４３）は二端に第１固定部品（４５）と第２固定部品（４６）が嵌合され、該第１固定部品（４５）のモータ（４１）に向いた一側に回転動力端（４１１）を固定するための位置決め孔（４５１）が設けられ、第２固定部品（４６）の伝動軸（４２）に向いた一側に該伝動軸（４２）の一端を固定するための位置決め孔（４６１）が設けられた、上記伝動アセンブリ（４０）と、
電動リモートコントローラー（５０）であって、上レール（１０）の一端の開口（１１）に設置され、ケース（５１）、電池シート（５２）、モータ（５３）及び電子制御アセンブリを包含し、該ケース（５１）にケース（５１）と分離し並びに電源線（５１８）で電子制御アセンブリと接続された信号受信器（５１７）及び取り付け孔（５１３）が設けられ、取り付け孔（５１３）の内側に導電部品（５１６）が設けられ、ケース（５１）の上レール（１０）に向いた一側に、第２ロープ（３３）の一端が挿通する貫通孔（５１４）が設けられ、別端に開口（５１５）が形成され、ケース（５１）の内部の、モータ（５３）の捲線輪（５３２）に対応する位置にあって、その前端に第２ロープ（３３）が上から圧接される回転軸（５４）が設けられ、該モータ（５３）がケース（５１）内部に取り付けられ且つ導電部品（５１６）と電気的接続を形成し、モータ（５３）が回転動力端（５３１）を具え、回転動力端（５３１）に第２ロープ（３３）と接続された捲線輪（５３２）が設置され、該電池シート（５２）は着脱自在にケース（５１）の取り付け孔（５１３）に取り付けられ、電池シート（５２）に導電部品（５１６）と接触する電池（５２１）が設けられ、該電子制御アセンブリがケース（５１）内部に設置され並びに信号受信器（５１７）、電動リモートコントローラー（５０）のモータ（５３）及び伝動アセンブリ（４０）のモータ（４１）と接続される、上記電動リモートコントローラー（５０）と、  複数の可動ブロックセット（６０）であって、上レール（１０）の開口（１１）、下レール（２０）の開口（２１）及び電動リモートコントローラー（５０）のケース（５１）の開口（５１５）に設置され、該可動ブロックセット（６０）は内側セットブロック（６１）、外側セットブロック（６３）、及び一つ或いはそれ以上の、内、外側セットブロック（６１）、（６３）の間に取り付けられた連接セットブロック（６２）を包含し、該内側セットブロック（６１）、連接セットブロック（６２）及び外側セットブロック（６３）相互の間が固定部品（６４）で固定され、且つ内側セットブロック（６１）の一側に上レール（１０）の開口（１１）、下レール（２０）の開口（２１）及び電動リモートコントローラー（５０）のケース（５１）の開口（５１５）と相互に組み合わされる取り付け部（６１１）が設けられた、上記複数の可動ブロックセット（６０）と、
を包含したことを特徴とする、電動ブラインドとしている。
請求項２の考案は、請求項１記載の電動ブラインドにおいて、可動ブロックセット（６０）の内側セットブロック（６１）にネジ孔（６１２）が設けられ、連接セットブロック（６２）に内側セットブロック（６１）のネジ孔（６１２）に対応する穿孔（６２１）が設けられ、外側セットブロック（６３）に内側セットブロック（６１）のネジ孔（６１２）に対応する貫通孔（６３１）が設けられ、固定部品（６４）の一端にネジ部（６４１）が形成され、もう一端に頭部（６４２）が形成され、固定部品（６４）のネジ部（６４１）を具えた一端が外側セットブロック（６３）の貫通孔（６３１）、連接セットブロック（６２）の穿孔（６２１）に挿通されて内側セットブロック（６１）のネジ孔（６１２）と螺合され、可動ブロックセット（６０）の各連接セットブロック（６２）の内側セットブロック（６１）に向いた一側に係止凸縁（６２２）が形成され、別側に該係止凸縁（６２２）に対応する位置決め凹溝（６２３）が形成され、該内側セットブロック（６１）の取り付け部（６１１）に対向する別側に、隣接する連接セットブロック（６２）の係止凸縁（６２２）が嵌入される位置決め凹溝（６１３）が形成され、外側セットブロック（６３）の連接セットブロック（６２）に対向する一側に隣接する連接セットブロック（６２）の位置決め凹溝（６１３）中に嵌入する係止凸縁（６３２）が形成されたことを特徴とする、電動ブラインドとしている。
請求項３の考案は、請求項１記載の電動ブラインドにおいて、電動リモートコントローラー（５０）のケース（５１）の取り付け孔（５１３）の一側の内側に位置決め溝（５１３ａ）が形成され、対向側の内側に凹部（５１３ｂ）が形成され、電池シート（５２）にあって、ケース（５１）の位置決め溝（５１３ａ）に対向する一側に凸部（５２１）が形成され、別側にフック（５２２）が形成され、並びにケース（５１）内部にフック（５２２）と係合する係止部が形成されたことを特徴とする、電動ブラインドとしている。
【考案の効果】
【０００９】
本考案の効果は少なくとも以下を包含する。
１．電動リモートコントローラーのケースに着脱自在な電池シートの設計により、電池交換が容易な効果を達成している。
２．可動ブロックセットの内側セットブロック、連接セットブロック、外側セットブロックの相互の間の着脱可能で長さ改変できる設計により、電動ブラインドを消費者が自分で取り付ける時、電動ブラインドの全体幅を窓の全体幅に符合させることができる。
３．伝動アセンブリのモータと伝動軸がフレキシブル連接部品により連接された設計により、モータが伝動軸を駆動する時に、その動力負荷を有効に減らすことができ、電動ブラインドの使用寿命を延長する効果を達成する。
【考案を実施するための最良の形態】
【００１０】
図２及び図３に示されるように、本考案の電動ブラインドは、上レール（１０）、下レール（２０）、ブレードロープセット（３０）、伝動アセンブリ（４０）、電動リモートコントローラー（５０）及び複数の可動ブロックセット（６０）を包含する。
【００１１】
該上レール（１０）は中空長形レールシートとされて、二端にそれぞれ開口（１１）が形成されている。
【００１２】
該下レール（２０）は上レール（１０）の下方に離間設置された長形レールシートであり、その二端にそれぞれ開口（２１）が形成されている。
【００１３】
該ブレードロープセット（３０）は、上レール（１０）及び下レール（２０）の間に設置され、それは、ブレード（３１）、第１ロープ（３２）、及び第２ロープ（３３）を包含し、該ブレード（３１）はベネチアンブライド用ブレード或いはアコーディオン式ブラインド用ブレードとされ、図示される実施例では、該ブレード（３１）はベネチアンブライド用ブレードとされ、並びに上レール（１０）及び下レール（２０）に接続され、また、第１ロープ（３２）の一端は下レール（２０）に接続され別端は上レール（１０）内部に延伸され、第２ロープ（３３）はブレード（３１）を直列に接続するのに用いられ、且つ一端が上レール（１０）の内部に延伸されている。
【００１４】
更に図３及び図４を参照されたい。該伝動アセンブリ（４０）は上レール（１０）内部に設置され、モータ（４１）、伝動軸（４２）、フレキシブル連接部品（４３）及び枢設座（４４）を包含し、該モータ（４１）が回転動力端（４１１）を具え、該伝動軸（４２）が枢設座（４４）を介して上レール（１０）内部に枢設され、伝動軸（４２）の一端はフレキシブル連接部品（４３）によりモータ（４１）の回転動力端（４１１）と接続され、また、上レール（１０）内部に延伸された第１ロープ（３２）の一端が、伝動軸（４２）と接続されている（図示せず）。
【００１５】
また、前述のフレキシブル連接部品（４３）は中空軟管等のフレキシビリティーを具えた物品とされ、該フレキシブル連接部品（４３）が中空軟管とされる時、図３に示されるように、二端に第１固定部品（４５）と第２固定部品（４６）が嵌合され、該第１固定部品（４５）のモータ（４１）に向いた一側に回転動力端（４１１）を固定するための位置決め孔（４５１）が設けられ、第２固定部品（４６）の伝動軸（４２）に向いた一側に該伝動軸（４２）の一端を固定するための位置決め孔（４６１）が設けられ、これにより、フレキシブル連接部品（４３）により確実に伝動軸（４２）の一端とモータ（４１）の回転動力端（４１１）が相互に連接される。
【００１６】
更に図２、５及び図６に示されるように、該電動リモートコントローラー（５０）は上レール（１０）の一端の開口（１１）に取り付けられ、その取り付け方式は、図示される嵌合方式、或いはその他のネジ止め、ソルダリング等の方式が採用され、該電動リモートコントローラー（５０）はケース（５１）、電池シート（５２）、モータ（５３）及び電子制御アセンブリ（図示せず）を包含し、該ケース（５１）の内部に第１収容空間（５１１）と第２収容空間（５１２）が形成され、ケース（５１）の前側の第１収容空間（５１１）の位置に取り付け孔（５１３）が設けられ、取り付け孔（５１３）の内側に導電部品（５１６）が設けられ、ケース（５１）の上レール（１０）に向いた一側に、第２収容空間（５１２）に連通する貫通孔（５１４）が設けられ、前述の上レール（１０）内部に延伸された第２ロープ（３３）の一端の第２収容空間（５１２）中への挿入に供され、別にケース（５１）の該貫通孔（５１４）に対向する別側に開口（５１５）が設けられ、且つケース（５１）の前側に信号受信器（５１７）が設けられ、該モータ（５３）が該ケース（５１）の第２収容空間（５１２）中に取り付けられ、モータ（５３）が回転動力端（５３１）を具え、該回転動力端（５３１）に第２ロープ（３３）と接続された捲線輪（５３２）が設置され、モータ（５３）が電源線（５１８）を通して導電部品（５１６）と電気的接続を形成し、該電池シート（５２）がケース（５１）の取り付け孔（５１３）に着脱自在とされ、並びに電池５２１が直接取り付けられ、電池シート（５２）がケース（５１）の取り付け孔（５１３）に取り付けられる時、その上の電池（５２１）が第１収容空間（５１１）中に位置し並びに導電部品（５１６）と接触して電動リモートコントローラー（５０）の各部品の電力ソースとされる。また電子制御アセンブリがケース（５１）内部に設置されて信号受信器（５１７）、モータ（５３）、及び前述の伝動アセンブリ（４０）のモータ（４１）と接続され（図示せず）、信号受信器（５１７）が外来信号を受信の後、電子制御アセンブリにより伝動アセンブリ（４０）のモータ（４１）と電動リモートコントローラー（５０）のモータ（５３）の動作が制御される。
【００１７】
また、図５に示されるように、前述のケース（５１）の取り付け孔（５１３）の一側の内側に位置決め溝（５１３ａ）が形成され、対向する別側の内側に凹部（５１３ｂ）が形成され、該電池シート（５２）にあってケース（５１）の位置決め溝（５１３ａ）に対向する一側に凸部（５２１）が形成され、別側にフック（５２２）が形成され、並びにケース（５１）内部にフック（５２２）と係合する係止部（図示せず）が形成されている。これにより、図６に示されるように、該電池シート（５２）が取り付けられる時、一側の凸部（５２１）をケース（５１）の位置決め溝（５１３ａ）中に嵌合し、並びに別側のフック（５２２）をケース（５１）内部に進入させて係止部と相互に係合させて位置決めして、電池シート（５２）の取り付け作業を完成する。取り外す時は、使用者は直接手指を凹部（５１３ｂ）中に挿入し、更に外向きに施力して電池シート（５２）を係止状態より離脱させ、更に電池シート（５２）をケース（５１）より取り外すことができる。
【００１８】
また図５、６に示されるように、前述のケース（５１）の第１収容空間（５１１）と第２収容空間（５１２）中のモータ（５３）の捲線輪（５３２）に対応する位置の前端に、第２ロープ（３３）の上からの圧接を受ける回転軸（５４）が設けられ、該モータ（５３）の捲線輪（５３２）が第２ロープ（３３）の巻回或いは放出の動作を行うことができる。
【００１９】
また図５に示されるように、前述のケース（５１）の第１収容空間（５１１）と第２収容空間（５１２）の間にカバー（５５）が設けられて、第１、第２収容空間（５１１）、（５１２）に位置する関係部品を区画し、各部品の取り付け使用に供される。
【００２０】
また、図７に示されるように、前述の信号受信器（５１７）はケース（５１）に対し着脱可能な設計とされ、該信号受信器（５１７）が別に電源線（５１８）で電子制御アセンブリと接続される。これにより、電動ブラインドが実際に取り付け使用され、且つその外側にカーテンＡの設計がある時、電動リモートコントローラー（５０）より該信号受信器（５１７）を取り外し、並びにそれをカーテンＡの外側に引き出し、カーテンＡが該電動リモートコントローラー（５０）の信号受信に影響を与えるのを防止することができる。
【００２１】
更に図２と図８に示されるように、各可動ブロックセット（６０）は上レール（１０）の開口（１１）、下レール（２０）の開口（２１）及び電動リモートコントローラー（５０）のケース（５１）の開口（５１５）に設置され、その取り付け方式は図示される嵌合方式、或いはネジ止め等の取り付け方式が採用されうる。該可動ブロックセット（６０）は内側セットブロック（６１）、外側セットブロック（６３）、及び一つ或いはそれ以上の、内、外側セットブロック（６１）、（６３）の間に取り付けられた連接セットブロック（６２）を包含し、該内側セットブロック（６１）、連接セットブロック（６２）及び外側セットブロック（６３）相互の間が固定部品（６４）で固定され、該可動ブロックセット（６０）の着脱作業が行えるものとされる。
【００２２】
該連接セットブロック（６２）は前述の内側セットブロック（６１）の取り付け部（６１１）に背向する一側に設置され、連接セットブロック（６２）が複数の時、各連接セットブロック（６２）相互の間の形状、構造は同じ設計とされ、また、各連接セットブロック（６２）に内側セットブロック（６１）のネジ孔（６１２）に対応する穿孔（６２１）が設けられている。
【００２３】
該外側セットブロック（６３）は連接セットブロック（６２）の内側セットブロック（６１）の反対の一側に取り付けられ、且つ外側セットブロック（６３）に内側セットブロック（６１）のネジ孔（６１２）に対応する貫通孔（６３１）が設けられている。
【００２４】
該固定部品（６４）の一端にネジ部（６４１）が形成され、別端に工具で回すことのできる頭部（６４２）が形成され、該固定部品（６４）のネジ部（６４１）が設けられた一端が、順に外側セットブロック（６３）の貫通孔（６３１）、連接セットブロック（６２）の穿孔（６２１）に挿通されて内側セットブロック（６１）のネジ孔（６１２）と螺合され、該固定部品（６４）の頭部（６４２）により内側セットブロック（６１）、連接セットブロック（６２）及び外側セットブロック（６３）が圧迫されて組み合わされて脱落しないものとされる。
【００２５】
また、図８及び図９に示されるように、前述の各連接セットブロック（６２）の内側セットブロック（６１）に向いた一側に係止凸縁（６２２）が形成され、別側に該係止凸縁（６２２）に対応する位置決め凹溝（６１３）が形成され、各連接セットブロック（６２）相互の間が嵌合式に組み合わされ、別に内側セットブロック（６１）の取り付け部（６１１）と反対の一側に位置決め凹溝（６１３）が形成され、隣り合う連接セットブロック（６２）の係止凸縁（６２２）がそのなかに係合し、該外側セットブロック（６３）の連接セットブロック（６２）に対向する一側に係止凸縁（６３２）が形成されて、隣り合う連接セットブロック（６２）の位置決め凹溝（６２３）がそのなかに係合され、これにより該内側セットブロック（６１）、各連接セットブロック（６２）と外側セットブロック（６３）が固定部品（６４）を利用して相互に組み合わされるほか、前述の係止凸縁（６２２）、（６３２）及び位置決め凹溝（６１３）、（６２３）の設計により、相互間の組合せ位置決め効果がさらに良好とされている。
【００２６】
また、前述の内側セットブロック（６１）、連接セットブロック（６２）、外側セットブロック（６３）は上レール（１０）、下レール（２０）或いは電動リモートコントローラー（５０）のケース（５１）の側辺断面形状に対応し、各種の異なる幾何形状とされ得て、例えば図１０に示されるように、内側セットブロック（６１）、連接セットブロック（６２）、外側セットブロック（６３）の断面形状は略長方形の片状ブロック体とされるか、或いは図１１に示されるように、その断面形状は略長楕円形の片状ブロック体とされ、可動ブロックセット（６０）が上レール（１０）、下レール（２０）或いは電動リモートコントローラー（５０）側辺に取り付けられる時に装飾効果を具備する。
【００２７】
また、前述の可動ブロックセット（６０）は異なるブレードのブラインドに応用可能であり、図１２に示されるように、可動ブロックセット（６０）は市販されている無電動リモートコントローラーのアコーディオン式ブラインド（７１）に応用可能で、且つそれぞれブラインド（７１）の上レール（７１１）の二側及び下レール（７２２）の二側に取り付けられ、ゆえに広く各種の異なる種類のブラインドに使用できる。
【００２８】
本考案の電動ブラインドを取り付ける時、使用者はまず窓の幅を測定し、更にブラインド売り場で適合する規格の電動ブラインドを選択する。選択時に、窓の幅に符合する電動ブラインド規格がない時は、全体の幅が窓の幅よりやや大きい電動ブラインドを選択し、後続の取り付け作業を行えるようにする。更に図２に示されるように、使用者が窓にブラインドを取り付ける時、先ずブレード（３１）の幅に対してカットし、ブレード（３１）の幅を窓の幅に符合させ、また図１４のように、更に可動ブロックセット（６０）の内側セットブロック（６１）、連接セットブロック（６２）、及び外側セットブロック（６３）の固定部品（６４）の組合せによる相互着脱自在の設計により、連接セットブロック（６２）の数量を適当に減らし、各可動ブロックセット（６０）の長さを改変し、上レール（１０）、下レール（２０）及び電動リモートコントローラー（５０）の全体長さ（可動ブロックセット（６０）を含む）を窓の幅に符合させ、即ち本考案の電動ブラインドを窓の幅に合わせ、これにより電動ブラインドの取り付け作業を順調に完成する。
【００２９】
本考案の電動ブラインドを実際に操作使用する時、各図に示されるように、使用者は電動ブラインドに合ったリモートコントローラーを準備し、該リモートコントローラーが特定の信号を発射して信号受信器（５１７）がそれを受信すると、電子制御アセンブリにより伝動アセンブリ（４０）のモータ（４１）と電動リモートコントローラー（５０）のモータ（５３）が作動開始し、例えば伝動アセンブリ（４０）のモータ（４１）が伝動軸（４２）を駆動して順方向或いは逆方向に回転させる時、第１ロープ（３２）によりブレード（３１）が駆動されて特定角度回転し、ブラインドが遮光或いは透光状態とされ、また電動リモートコントローラー（５０）のモータ（５３）が捲線輪（５３２）を駆動して順方向或いは逆方向に回転させる時、捲線輪（５３２）が第２ロープ（３３）を巻回或いは放出し、ブレード（３１）を上昇させ収合状態とするか或いは下降させ展開状態となし、これにより、使用者は前述の相当に便利な操作手段により、有効に本考案の電動ブラインドの動作を制御でき、光線ブロック及び装飾等の用途を達成できる。
【００３０】
本考案の電動ブラインドは電池交換時に、図６に示されるように、電動リモートコントローラー（５０）の電池シート（５２）をケース（５１）より取り外して直接電池シート（５２）上で電池（５２１）を交換でき、その後、電池シート（５２）をケース（５１）に戻せばよく、使用者は電池シート（５２）を着脱するステップ及び電池（５２１）交換時のいずれも手を高く挙げる必要がなく、電池交換作業を完成できる。
【００３１】
本考案の電動ブラインドは伝動アセンブリ（４０）の伝動軸（４２）が長時間使用によりやや湾曲し、伝動軸（４２）の軸心がモータ（４１）の回転動力端（４１１）の軸心にアラインしなくなった時、図１５に示されるように、該モータ（４１）と伝動軸（４２）がフレキシブル連接部品（４３）で接続されているため、モータ（４１）が伝動軸（４２）を駆動し回転させる過程で、該フレキシブル連接部品（４３）のフレキシビリティーにより、モータ（４１）の回転動力端（４１１）の軸心と伝動軸（４２）の軸心が伝動の基準線上に制御され、有効にモータ（４１）の動力負荷を低減でき、電動ブラインドの使用寿命を延長できる。
【図面の簡単な説明】
【００３２】
【図１】周知の電動ブラインドの立体外観図である。
【図２】本考案の立体外観図である。
【図３】本考案の局部立体外観図である。
【図４】本考案の上レール、伝動アセンブリの平面図である。
【図５】本考案の電動リモートコントローラーの立体分解図である。
【図６】本考案の電動リモートコントローラーの使用状態表示図である。
【図７】本考案のカーテン応用時の立体外観図である。
【図８】本考案の可動ブロックセットの立体分解図である。
【図９】本考案の可動ブロックセットの断面組合せ図である。
【図１０】本考案の可動ブロックセットの別の実施方式の立体分解図（一）である。
【図１１】本考案の可動ブロックセットの別の実施方式の立体分解図（二）である。
【図１２】本考案の可動ブロックセットのブラインドへの取り付け時の立体外観図一である。
【図１３】本考案の可動ブロックセットのブラインドへの取り付け時の立体外観図二である。
【図１４】本考案の可動ブロックセットの長さ改変後の断面図である。
【図１５】本考案の伝動アセンブリの作動時の表示図である。
【符号の説明】
【００３３】
（１０）上レール
（２０）下レール
（３０）ブレードロープセット
（４０）伝動アセンブリ
（５０）電動リモートコントローラー
（６０）可動ブロックセット
（１１）開口
（２１）開口
（３１）ブレード
（３２）第１ロープ
（３３）第２ロープ
（４１）モータ
（４２）伝動軸
（４３）フレキシブル連接部品
（４４）枢設座
（４１１）回転動力端
（４５）第１固定部品
（４６）第２固定部品
（４５１）位置決め孔
（４６１）位置決め孔
（５１）ケース
（５２）電池シート
（５３）モータ
（５１１）第１収容空間
（５１２）第２収容空間
（５１３）取り付け孔
（５１６）導電部品
（５１４）貫通孔
（５１５）開口
（５１７）信号受信器
（５３１）回転動力端
（５３２）捲線輪
（５１８）電源線
（５２１）電池
（５１３ａ）位置決め溝
（５１３ｂ）凹部
（５２１）凸部
（５２２）フック
（５４）回転軸
（５５）カバー
Ａ  カーテン
（６１）内側セットブロック
（６３）外側セットブロック
（６２）連接セットブロック
（６４）固定部品
（６１２）ネジ孔
（６２１）穿孔
（６３１）貫通孔
（６４１）ネジ部
（６４２）頭部
（６２２）係止凸縁
（６１３）位置決め凹溝
（６２２）、（６３２）係止凸縁
（６１３）、（６２３）位置決め凹溝
（７１）ブラインド
（７１１）上レール
（７２２）下レール
【図１】
0003114704.tif 000003
【図２】
0003114704.tif 000004
【図３】
0003114704.tif 000005
【図４】
0003114704.tif 000006
【図５】
0003114704.tif 000007
【図６】
0003114704.tif 000008
【図７】
0003114704.tif 000009
【図８】
0003114704.tif 000010
【図９】
0003114704.tif 000011
【図１０】
0003114704.tif 000012
【図１１】
0003114704.tif 000013
【図１２】
0003114704.tif 000014
【図１３】
0003114704.tif 000015
【図１４】
0003114704.tif 000016
【図１５】
0003114704.tif 000017